(57)【要約】      （修正有）【課題】刊行物が完成して流通してしまってから知り得た情報や画像を購読者に次期刊行物の発行を待たずして速やかに提供すること。【解決手段】刊行物に対して記事ごとに一対のバーコードを備えることにより刊行物発行周期区間内において、事件並びに発行済み刊行物記載内容の訂正並びに記事の追加情報の提供並びにスポーツ競技の結果並びに割愛記事の全文掲載をリアルタイムに行うことができるようにすることが可能となる。加えて刊行物の記事に対して一対のバーコードを紙面に備えていることから利用者は単に該等するバーコードを選択して接続する作業のみで所望の情報が直接得られることが可能となり、ホームページやメニュー画面に接続した後に目的の事項に到達するまでの選択作業を行うという労力が不要となる。【選択図】図１
2008027411.tif 000002
【特許請求の範囲】
【請求項１】
定期刊行物並びに不定期刊行物の紙面に各記事内容と相関したバーコードを印刷しておくことにより該刊行物購読者がカメラ機能を有する携帯電話や光学式カメラでそのバーコードの接続用情報を読み取って刊行物製作施設または刊行物記事管理施設に置かれた記憶媒体に接続することで該刊行物発行周期区間内の記事内容の変更情報並びに記事内容の追加情報並びに記事内容の修正情報並びに記事関連画像情報を取得できるようにした刊行物。
【発明の詳細な説明】
【発明の詳細な説明】
【技術分野】
【０００１】本発明は新聞、週刊誌、月刊誌、会報などの定期刊行物並びに不定期刊行物の発行周期区間内に関して、発行を行った後に記載内容事実を変更する必要がおきた時並びに追加の情報を伝えたい時並びに事象の変化によって文意を変更したい時に所望の趣旨の内容を伝達することができる手段を備えた刊行物に関する。
【背景技術】
【０００２】新聞、週刊誌、月刊誌に代表される定期刊行物は紙を媒体として読者に色々な情報を伝える手段として長い実績を持ち、社会に大きく貢献してきた。インターネットの発達で色々な情報の提供手段が確立された今日にあっても、一つのテーマを効率良く紙面にまとめあげられている定期刊行物の支持者は多い。しかし、取材内容を刊行物の限られた範囲内に配置して印刷機器で印刷を行った後に例えば新聞の場合は配達拠点に搬送して末端読者へ配達を行うという手法が大半を占めるし、その他の定期刊行物にあっても書店や販売店を通じて末端読者へ手渡す方法が一般的であり、いずれの場合も一定の時間が消費されることは避けられない。定期刊行物の趣旨から考えると多くの場合はこのことは読者から理解を得られており問題となることはない。【０００３】しかし昨今は一般の人にとっては、テレビやインターネットを代表とする早期情報取得手段の出現により定期または不定期刊行物が主たる情報源では無くなってきている。そのために新聞のように朝と夕方に刊行していても事件やスポーツや株価や台風の情報などが変化したような時などは次の配布機会まで情報の提供が遅れてしまうことを回避することができないためにテレビやインターネットの情報の速報性並びに情報量に追いつくことができなかった。刊行物を発行する側にあっても担当する記者の書いた記事の内容が紙面容量の都合で割愛されたり、他の大きな出来事のために紙面が割かれる結果、書いた記事が不掲載となったりすることもあった。【０００４】刊行物または折込みチラシにバーコードを備えて本発明と同様に特定の情報に連結させる方法も既存の技術として存在するが、本発明のように記載内容に対しての補足または記載内容に関連する追加や訂正を目的として記載項目に直接連動するというものではなく、インターネット上でホームページにリンクさせるまでを行い利用者が所望の事項に関連すると思われるメーニューから選択を行っていき目的の情報を得るという仕組みなので、記事ごとに一対のバーコードを備えて刊行物の速報性を補強するという利便性を特徴とする本発明とは異なるものである。
【発明が解決しようとする課題】
【０００５】新聞をはじめとする定期刊行物、不定期刊行物の製作者が購読者に対して刊行物を提供した時に刊行物を作成するのに要した時間と、その刊行物を購読者に流通させるまでの所要時間と、次の新しい情報を含む刊行物を購読者に対して提供するまでの所要時間との間に起こった事件並びに情報の変化並びに事実関係の変化並びに事象の変化などの情報を購読者に対してリアルタイムに提供する手段の無いことが課題であった。
【０００６】一方刊行物製作者側は出荷後に記述内容の事実関係の変化並びに不足情報の追加並びに誤記訂正の必要性がおきた場合であっても次期刊行物の発行までの時間を経ねば記事内容に体する修正が実現できないという不便さがあった。加えて刊行物の記者が書き切れなかった残りの記事並びに諸般の事情から割愛された記事の差分並びに刊行物が完成して流通してしまってから知り得た情報や画像を購読者に次期刊行物の発行を待たずして速やかに提供したい場合であっても適切な方法が無かった。
【課題を解決するための手段及び発明の効果】
【０００７】前記課題を解決するため請求項記載の発明は、刊行物に対して大きな変革を加えること無く刊行物発行周期の区間内において、事件並びに発行済み刊行物記載内容の訂正並びに記事の追加情報の提供並びにスポーツ競技の結果並びに割愛記事の全文掲載をリアルタイムに行うことができるようにすることを目的とする。このことによって購読者は所望の情報を次期刊行物の完成を待つことなく得ることができるようになり、手持ちの刊行物の記事を参照してより正確な情報の把握が可能となる。加えて刊行物の記事に対して一対のバーコードを紙面に備えていることから単に該等するバーコードを選択して接続する作業のみで所望の情報が得られることが可能となり、ホームページやメニュー画面に接続した後目的の事項に到達するまでの選択作業を行うという労力から開放される。
【発明を実施するための最良の形態】
【０００８】以下、刊行物が新聞である場合についての本発明の実施例を図面に基づき説明する。図１に示すように記事が１２、１３，１４、１５、１６、１７のようにあるときそれに対応させたバーコード２，３，４，５，６，７をそれぞれの記事末尾に印刷しておく。このバーコードには対応する各記事項目に対してそれぞれ一意の意味を持つ情報が含まれている。【０００９】本例では３１に示すバーコード読み取り機能がある携帯電話を使用して取り込んだバーコード映像からインターネットを経由して図４の６０に示す刊行物製作施設内に置かれたパソコンまたはサーバー７０に６４に示すように接続作業を行うこととする。同施設または接続に対応するための施設に置かれているパソコンまたはサーバー７０には各バーコードに対して自動的に接続先購読者にデータを送ることができるソフトウエアーを用意しておく。このパソコンまたはサーバーの中の記憶媒体７１に電子データとして刊行物発行後の続報記事並びに修正記事並びに割愛された記事内容並びに画像を備え担当記者は購読者に伝えたい内容を刻々と起こる変化に応じて記憶媒体内の同データを書き換えて常に最新の情報に更新しておく。【００１０】購読者は続報またはスポーツ協議の結果または天気予報などの所望の情報に関連する記事に続いて図２に示すように記事１２に対応しているバーコード２の情報を３１の携帯電話で撮影して６４に示すように７０に接続する。接続を受けたパソコンまたはサーバー７０に接続している記憶媒体７１には電子データとして刊行物発行後の続報記事並びに修正記事並びに割愛された記事内容並びに画像が担当記者によって刻々と起こる変化に応じて書き換えられて最新の情報として存在しており７０に接続した本例の購読者に対しては記事１２に関する最新情報が６５に示すように電気信号として携帯電話３１に送信され携帯電話３１の表示画面３０に対して５０に示すような所望の情報が表示される。
【産業上の利用可能性】
【００１１】インターネット並びにテレビ並びにラジオの著しい普及に伴い情報伝播手段の高速化と情報の大量化が進み一般社会通念上速やかに最新の情報を得ることができるのは当然のこととして認識されている現状に鑑みると、刊行物の制約である発行周期区間内の情報提供手段の空洞化は刊行物製作業者にとって速報性並びに情報量に関して他の手段と比較を行うと脆弱であることは否めない。本発明は刊行物の発行周期区間内であっても情報の、追加並びに補填並びに修正並びに記事割愛部分の全文提供をすることが可能となるので即応性並びに情報量の脆弱さを補うことができる。【００１２】このことは刊行物製作者にとっても詳細な情報を求める購読者にとっても有益な発明であるので広く社会に浸透して利用されることが期待できる。
【図面の簡単な説明】
【図１】この発明の新聞の場合の一実施形態を示す模式図である。
【図２】この発明の一実施形態を示す携帯電話を例にした模式図である
【図３】この発明の一実施形態を示す追加情報を携帯電話で受信していることを示す模式図である。
【図４】刊行物製作施設と発行された刊行物と追加情報を取得する方法を示す模式図である。
【符号の説明】
１  新聞紙面。  ２  記事１２に関連付けられたバーコード。  ３  記事１３に連付けられたバーコード。  ４  記事１４に連付けられたバーコード。  ５  記事１５に関連付けられたバーコード。  ６  記事１６に関連付けられたバーコード。  ７  記事１７に関連付けられたバーコード。１２  黒点を文字に見立てた記事の模式図。１３  黒点を文字に見立てた記事の模式図。１４  黒点を文字に見立てた記事の模式図。１５  黒点を文字に見立てた記事の模式図。１６  黒点を文字に見立てた記事の模式図。１７  黒点を文字に見立てた記事の模式図。３０  携帯電話の表示画面を示す模式図。３１  カメラ機能を有する携帯電話を示す模式図。５０  携帯電話に送られた文字情報を示す模式図。６０  刊行物製作施設を示す模式図。６１  刊行物製作施設からの流通を示す模式図。６２  流通した刊行物を示す模式図。６３  刊行物が購読者に渡るまでの流通を示す模式図。６４  刊行物に印刷されたバーコードを読み込み刊行物製作施設に接続することを示す模式図。６５  刊行物製作施設から追加情報などが送られてくる様子を示す模式図。７０  パソコンまたはサーバーを示す模式図７１  記憶媒体を示す模式図
【図１】
2008027411.tif 000003
【図２】
2008027411.tif 000004
【図３】
2008027411.tif 000005
【図４】
2008027411.tif 000006